(57)【特許請求の範囲】
【請求項１】
撮影光学系により被写体の像を視野内のピント板に結像させ、ピント板の像を観察するファインダー装置と、
該ファインダー装置の視野内に撮影に関する情報を点灯表示するファインダー内表示手段と、
上記撮影光学系を通った被写体光により形成された被写体像を撮影する撮影手段と、
上記撮影光学系と撮影手段との間に配置された、上記撮影光学系を通った被写体光を上記ピント板に向かって反射する観察位置と、上記撮影手段に向かって通過させる撮影位置とに移動可能な可動ミラーと、
上記ピント板に結像した像を測光する測光手段と、
被写体の異なる複数のＡＦエリアについて合焦状態を検出する焦点検出手段と、
上記焦点検出手段によるいずれかのＡＦエリアの検出結果に基づいて、上記撮影光学系の焦点調節レンズ群を合焦位置まで駆動する焦点調節手段と、を有するカメラであって、
上記ファインダー内表示手段による上記撮影情報の点灯表示が上記測光に影響を与えるか否か判定する判定手段と、
上記判定手段が測光に影響を与えると判定したとき、上記測光手段による測光が完了するまで上記ファインダー内表示手段の点灯表示を禁止し、上記判定手段が測光に影響を与えないと判定したとき、上記ファインダー内表示手段の点灯表示を許可する表示制御手段と、を備え、
上記ファインダー内表示手段は、上記撮影情報として上記各ＡＦエリアに対応するＡＦエリア表示部を有し、上記焦点調節手段により合焦したＡＦエリアに対応するＡＦエリア表示部を点灯表示すること、
上記判定手段は、上記焦点調節手段によりいずれかのＡＦエリアに対して合焦した時、上記測光手段が測光を終了していたときには上記測光に影響を与えないと判定し、上記測光手段が測光を終了していないときには上記測光に影響を与えると判定すること、
上記表示制御手段は、上記判定手段が測光に影響を与えないと判定したとき、上記ファインダー内表示手段による合焦したＡＦエリアに対応するＡＦエリア表示部の点灯表示を許可し、上記判定手段が測光に影響を与えると判定したとき、上記ファインダー内表示手段による合焦したＡＦエリアに対応するＡＦエリア表示部の点灯表示を禁止すること、及び
上記焦点調節手段によりいずれかのＡＦエリアに対して合焦した時、上記測光手段による測光が終了していないときには上記表示制御手段が上記ファインダー内表示手段の点灯表示を禁止した状態で上記測光手段による測光を継続し、測光が終了したときに上記可動ミラーが撮影位置に移動し、上記測光手段による測光結果に基づいて上記撮影手段が撮影動作すること、
を特徴とするファインダー内表示装置を備えたカメラ。
【請求項２】
請求項１記載のファインダー内表示装置を備えたカメラにおいて、上記ファインダー内表示手段は、上記ピント板に重複配置され、上記ピント板に結像された像が透過する、上記ＡＦエリア表示部を有する透過型液晶パネルを有し、上記ピント板に結像された像が上記透過型液晶パネルを透過して該像と上記ＡＦエリア表示部とが重ねて観察されるファインダー内表示装置を備えたカメラ。
【請求項３】
請求項２記載のファインダー内表示装置を備えたカメラにおいて、上記ファインダー内表示手段は、上記透過型液晶パネルが表示したＡＦエリア表示部を点灯する照明手段を備え、上記表示制御手段が点灯表示を許可したときに上記照明手段を点灯し、上記表示制御手段が点灯表示を禁止したときに上記照明手段を点灯させないファインダー内表示装置を備えたカメラ。
【請求項４】
請求項３記載のファインダー内表示装置を備えたカメラにおいて、上記照明手段は、上記透過型液晶パネルの周辺であって上記ピント板の像が射出される側に複数個配置された照明部材であるファインダー内表示装置を備えたカメラ。
【請求項５】
請求項３または４記載のファインダー内表示装置を備えたカメラにおいて、上記焦点調節手段によりいずれかのＡＦエリアに対して合焦したとき、上記測光手段による測光が終了しているときには上記可動ミラーが撮影位置に移動し、該移動動作と並行して上記表示制御手段が上記ファインダー内表示手段の点灯表示を許可して上記ファインダー内表示手段が合焦したＡＦエリア表示部を表示及び上記照明手段を点灯し、上記測光手段による測光結果に基づいて上記撮影手段が撮影動作するファインダー内表示装置を備えたカメラ。
【発明の詳細な説明】
【技術分野】
【０００１】
本発明は、ファインダー内表示装置を備えたカメラに関する。
【背景技術】
【０００２】
従来、自動露出（ＡＥ）機能を備えたカメラには、光学ファインダー装置のピント板のマット面に結像させた被写体像を、測光センサによりマット面に対して斜め方向（垂直ではない方向）から測光しているものがある。また、従来のカメラにおいて、マット面上被写体像に、自動焦点調節（ＡＦ）装置により合焦した位置を示す合焦点など種々の情報を重ねて表示するファインダー内表示装置を備えたものがある。
ところが、マット面上の被写体像に合焦点などの情報を重ねて表示する場合、測光センサには被写体光だけでなく、情報を表示するための情報照明光も一緒に入射してしまい、正しく測光できない。そこで、情報表示中は測光を停止するカメラが提案されている（特許文献１）。
【先行技術文献】
【特許文献】
【０００３】
【特許文献１】特開２００４−１３３３４６公報
【発明の概要】
【発明が解決しようとする課題】
【０００４】
しかし、情報表示中は測光を停止する特許文献１のカメラでは、通常のカメラと同様に、レリーズボタンの半押しで測光を開始し、全押しでレリーズ（撮影）しているため、レリーズボタンの半押しで測光を開始した後、情報が表示される前に測光が完了していない場合には、情報の表示が消えた（情報照明光が消灯した）後に再度測光を開始し、測光完了後、レリーズボタンが全押しされたときにレリーズ（撮影）することになる。そのため特許文献１のカメラでは、レリーズボタンが半押しされた直後に全押しされた場合、「情報の照明点灯時間」＋「情報照明光消灯後の測光開始〜測光完了までの時間」だけレリーズタイムラグが伸びるという問題があった。
【０００５】
本発明は、以上の問題意識に基づいてなされたものであり、ファインダー内表示装置を備え、ファインダーのピント板に結像させた被写体像を測光センサで測光するカメラにおいて、正確な測光と、測光動作を開始してから測光動作を完了するまでの時間の短縮を図ることを目的とする。
【課題を解決するための手段】
【０００６】
本発明のファインダー内表示装置を備えたカメラは、撮影光学系により被写体の像を視野内のピント板に結像させ、ピント板の像を観察するファインダー装置と、該ファインダー装置の視野内に撮影に関する情報を点灯表示するファインダー内表示手段と、上記撮影光学系を通った被写体光により形成された被写体像を撮影する撮影手段と、上記撮影光学系と撮影手段との間に配置された、上記撮影光学系を通った被写体光を上記ピント板に向かって反射する観察位置と、上記撮影手段に向かって通過させる撮影位置とに移動可能な可動ミラーと、上記ピント板に結像した像を測光する測光手段と、被写体の異なる複数のＡＦエリアについて合焦状態を検出する焦点検出手段と、上記焦点検出手段によるいずれかのＡＦエリアの検出結果に基づいて、上記撮影光学系の焦点調節レンズ群を合焦位置まで駆動する焦点調節手段と、を有するカメラであって、上記ファインダー内表示手段による上記撮影情報の点灯表示が上記測光に影響を与えるか否か判定する判定手段と、上記判定手段が測光に影響を与えると判定したとき、上記測光手段による測光が完了するまで上記ファインダー内表示手段の点灯表示を禁止し、上記判定手段が測光に影響を与えないと判定したとき、上記ファインダー内表示手段の点灯表示を許可する表示制御手段と、を備え、上記ファインダー内表示手段は、上記撮影情報として上記各ＡＦエリアに対応するＡＦエリア表示部を有し、上記焦点調節手段により合焦したＡＦエリアに対応するＡＦエリア表示部を点灯表示すること、上記判定手段は、上記焦点調節手段によりいずれかのＡＦエリアに対して合焦した時、上記測光手段が測光を終了していたときには上記測光に影響を与えないと判定し、上記測光手段が測光を終了していないときには上記測光に影響を与えると判定すること、上記表示制御手段は、上記判定手段が測光に影響を与えないと判定したとき、上記ファインダー内表示手段による合焦したＡＦエリアに対応するＡＦエリア表示部の点灯表示を許可し、上記判定手段が測光に影響を与えると判定したとき、上記ファインダー内表示手段による合焦したＡＦエリアに対応するＡＦエリア表示部の点灯表示を禁止すること、及び上記焦点調節手段によりいずれかのＡＦエリアに対して合焦した時、上記測光手段による測光が終了していないときには上記表示制御手段が上記ファインダー内表示手段の点灯表示を禁止した状態で上記測光手段による測光を継続し、測光が終了したときに上記可動ミラーが撮影位置に移動し、上記測光手段による測光結果に基づいて上記撮影手段が撮影動作すること、を特徴とする。
【０００８】
上記ファインダー内表示手段は、上記ピント板に重複配置され、上記ピント板に結像された像が透過する、上記ＡＦエリア表示部を有する透過型液晶パネルを有し、上記ピント板に結像された像が上記透過型液晶パネルを透過して該像と上記ＡＦエリア表示部とが重ねて観察される。
【０００９】
上記ファインダー内表示手段は、上記透過型液晶パネルが表示したＡＦエリア表示部を点灯する照明手段を備え、上記表示制御手段が点灯表示を許可したときに上記照明手段を点灯し、上記表示制御手段が点灯表示を禁止したときに上記照明手段を点灯させないことができる。
【００１０】
上記照明手段は、上記透過型液晶パネルの周辺であって上記ピント板の像が射出される側に複数個配置された照明部材とすることが好ましい。
【００１２】
本発明の好ましい実施形態では、上記焦点調節手段によりいずれかのＡＦエリアに対して合焦した時、上記測光手段による測光が終了しているときには上記可動ミラーが撮影位置に移動し、上記表示制御手段が上記ファインダー内表示手段の点灯表示を許可して上記ファインダー内表示手段が合焦したＡＦエリア表示部を表示及び上記照明手段を点灯し、上記測光手段による測光結果に基づいて上記撮影手段が撮影動作させる。
【発明の効果】
【００１３】
本発明は、ファインダー内表示装置の点灯が測光に影響を与えるとき、測光動作が完了するまでファインダー内表示装置を点灯させないので、正確な測光と、測光動作時間の短縮を図ることができる。
【図面の簡単な説明】
【００１４】
【図１】本発明のファインダー内表示装置を備えたカメラを適用したデジタル一眼レフカメラの実施形態について、主要な光学的、機械的構成要素を示すブロック図である。
【図２】同デジタル一眼レフカメラの主要な電気的構成要素の実施形態をブロックで示す図である。
【図３】同デジタル一眼レフカメラの透過型液晶パネルの平面図である。
【図４】同デジタル一眼レフカメラの撮影動作をフローチャートで示す図である。
【発明を実施するための形態】
【００１５】
図１〜図４を参照して、本実施形態のデジタルカメラ（撮影装置）１０について説明する。
【００１６】
図１は、本発明をデジタル一眼レフカメラに適用した実施形態であって、その主要な光学要素をブロック等で示した図である。このデジタル一眼レフカメラ１０は、カメラボディ１１と、このカメラボディ１１に着脱自在に装着された撮影レンズ１０１を備えている。
【００１７】
カメラボディ１１は、撮影レンズ１０１の撮影光学系を構成するズーム用レンズ群Ｌ１及びフォーカス用レンズ群Ｌ２を通って入射した被写体光束を、ファインダー光学系１５に向けて反射する観察位置と、撮像素子３１に入射させる撮影位置とに移動するメインミラー（可動ミラー）１２、及びメインミラー１２を観察位置と撮影位置とに駆動するミラーモータ１３を有するクイックリターン式のミラー装置１４を備えている。観察位置にあるメインミラー１２によって反射された被写体光束は、ファインダー光学系１５のピント板１５ａ及び透過型液晶パネル４０を透過してペンタプリズム（反射光学素子）１６に入射し、ペンタプリズム１６のダハ反射面１６ａ、前方反射面１６ｂの順に反射して射出し、さらにアイピース１７を通って外部に射出する。また、メインミラー１２で反射し、ピント板１５ａ及び透過型液晶パネル４０から垂直方向とは異なる方向に射出した光束の一部は、アイピース１７からオフセットした位置に配置された測光センサユニット３３に入射し、測光（被写体輝度検出）に使用される。測光センサユニット３３は、測光センサ３３ａと測光レンズ３３ｂを有する。測光センサ３３ａは、測光レンズ３３ｂによりピント板１５ａ上の複数の異なる測光エリア内の被写体像が投影され、複数の異なる測光エリア内の被写体像の輝度を独立して検出できる分割測光センサである。
【００１８】
撮影レンズ１０１のレンズ群Ｌ１とＬ２を通ってカメラボディ１１に入射した被写体光のうち、一部は観察位置にあるメインミラー１２のハーフミラー部を透過し、サブミラー１２ａで反射して、瞳分割式の測距センサ（位相差ＡＦユニット）１８に入射する。測距センサ１８は、複数のＡＦエリア毎に一対のラインセンサを備えている。測距センサ１８に入射した被写体光は、複数のＡＦエリア毎に瞳分割され、瞳分割された一対の被写体光が対応する一対のラインセンサのそれぞれに入射し、一対の画像信号に変換されて、コントローラ５０による位相差検出に使用される。コントローラ５０は、これらの一対の画像信号の位相差から、対応する測距エリア内の被写体に対する焦点状態としてデフォーカス量や合焦状態を検出する。
【００１９】
コントローラ５０は、検出したデフォーカス量に基づき、ＡＦ駆動回路２４及びＡＦモータ２１を介して、デフォーカス量が０となる合焦位置にフォーカス用レンズ群Ｌ２を移動して、ＡＦ動作を終了する。ＡＦ動作は、以上の位相差検出動作とデフォーカス量算出動作とフォーカス用レンズ群Ｌ２を合焦位置に移動するレンズ駆動動作を含む。
【００２０】
メインミラー１２が撮影位置に駆動され、撮像素子３１の前方に配置されたシャッター装置２０が動作してシャッター幕１９がシャッター開口（図示せず）を開放すると、被写体光はシャッター開口から撮像素子３１に入射し、受光面に被写体像を形成（投影）する。撮像素子３１に形成された被写体像は撮像（電気的な画像信号に変換）される。シャッター装置２０は、シャッター開口を開閉するシャッター幕１９として上下走行する先幕と後幕を有し、先幕の走行によりシャッター開口を開放し、後幕が走行によりシャッター開口を閉じる公知の構成である。
【００２１】
撮影レンズ１０１のズーム用レンズ群Ｌ１とフォーカス用レンズ群Ｌ２は、ズーム機能と焦点調節機能を担うレンズ群である。ズーム用レンズ群Ｌ１は、図示しないズーム操作機構により光軸Ｏに沿って光軸方向前後に駆動されてズーミング（変倍）する。フォーカス用レンズ群Ｌ２は、カメラボディ１１のＡＦモータ２１により、リンク機構２１ａを介して、撮影レンズ１０１の光軸Ｏに沿って光軸方向前後に駆動され、焦点調節を行う。撮影レンズ１０１は、透過光量調整用の可変の絞り（虹彩絞り）装置１０３を備えている。絞り装置１０３は、カメラボディ１１の絞りモータ２２により、絞りリンク機構２２ａを介して開閉方向に駆動され、絞り値を調整する。
【００２２】
図２は、カメラボディ１１に内蔵された電気的な主要回路構成の実施形態をブロックで示す図である。コントローラ５０は、ＲＯＭ（ＥＥＰＲＯＭ）５１に記録されている制御プログラムに基づいて、カメラ全体の機械的、電気的な動作を統括的に制御して、ＡＦ動作、撮影動作などのカメラ機能、動作を制御する。
【００２３】
撮像素子３１は、いわゆるＣＣＤ、ＣＭＯＳなどのイメージセンサである。撮像素子駆動・信号処理回路３２は、撮像素子３１を撮像駆動して撮像した画像信号を取り込み、相関二重サンプリングし、ゲインコントロールし、ホワイトバランス調整し、Ａ／Ｄ変換等したデジタル化した画像信号をコントローラ５０に出力する。コントローラ５０は、入力した画像信号を所定の画像フォーマットに変換して一旦ＳＤＲＡＭ５２に書き込んでからフラッシュメモリ５３に書き込み、またディスプレイ２３に表示する。ディスプレイ２３は、カメラボディ１１の背面に設けられており、撮影した画像の他に、撮影モードなど、カメラ機能に関する情報を表示する。
【００２４】
測光センサ３３ａは、ペンタプリズム１６から射出された被写体光を受光する位置に配置されており（図１）、ピント板１５ａのマット面に形成された被写体像（撮像素子３１に投影される被写体像と同様の被写体像）が投影される。測光センサ３３ａは、複数の測光領域の輝度を検出する測光に特化した、いわゆるＣＣＤ、ＣＭＯＳなどのＲＧＢカラーイメージセンサである。測光センサ３３ａには、測光レンズ３３ｂにより、撮像素子３１に投影される被写体像と同様の被写体像が投影される。測光センサ３３ａは、撮像素子３１と同様の基本構成であり、撮影範囲は撮像素子３１の撮影範囲と同等乃至狭く、総画素数は撮像素子３１より少ない。
【００２５】
測光センサ駆動・信号処理回路３４は、測光センサ３３ａを撮像駆動して画像信号を取り込み、相関二重サンプリングし、ゲインコントロールし、Ａ／Ｄ変換するなど所定の信号処理を施してデジタル化した画像信号を出力する。コントローラ５０は、測光センサ３３ａが撮像した画像信号を測光センサ駆動・信号処理回路３４を介して取り込み、各測光領域の画像信号を使用して測光値の検出、被写体輝度の算出を行う。ＣＣＤ、ＣＭＯＳなどの積分型センサはダイナミックレンジが狭いため、露光時間やゲインが適切でないと画像信号が小さくてノイズに埋もれてしまったり、逆に飽和してしまったりする。その場合、出力がダイナミックレンジ内に収まるように再度露光時間やゲインを変更し、撮像駆動する。これを出力がダイナミックレンジ内に収まるまで行い、ダイナミックレンジ内に収まったところで測光が完了する。
【００２６】
コントローラ５０には、ＡＦモータ２１を駆動するＡＦ駆動回路２４、絞りモータ２２を駆動制御する絞り駆動回路２５、シャッター装置２０を駆動制御するシャッター駆動回路２６、ミラーモータ１３を駆動制御するミラー駆動回路２７が接続されている。コントローラ５０は、これらＡＦ駆動回路２４、絞り駆動回路２５、シャッター駆動回路２６及びミラー駆動回路２７を介してＡＦモータ２１、絞りモータ２２、シャッター装置２０及びミラーモータ１３を駆動制御する。
【００２７】
コントローラ５０には、スイッチ手段として、ＡＦ・測光スイッチ３５、レリーズスイッチ３６、モード選択スイッチ３７、メインスイッチ３８が接続されている。ＡＦ・測光スイッチ３５は、自動焦点調節及び測光の開始を指示するスイッチであり、レリーズスイッチ３６は、露出、撮影及び撮影した画像信号をフラッシュメモリ５３に記録する（書き込む）撮影動作の開始を指示するスイッチであり、モード選択スイッチ３７は、撮影モードの変更、選択を操作する操作スイッチであり、メインスイッチ３８は、電源のオン／オフを指示する電源スイッチである。コントローラ５０は、これらのスイッチのオン／オフに応じて動作する。
【００２８】
コントローラ５０は、ＡＦ・測光スイッチ３５のＯＮを受けて、測距センサ１８から複数のＡＦエリア毎に一対の画像信号を入力して、一対の画像信号の位相差からデフォーカス量を演算し、算出したデフォーカス量に基づいてＡＦ駆動回路２４を介してＡＦモータ２１を駆動し、フォーカス用レンズ群Ｌ２を、デフォーカス量が０になる合焦位置に移動する。
コントローラ５０はさらに、測光センサ駆動・信号処理回路３４を駆動して測光センサ３３ａから測光エリア毎に測光信号（被写体輝度信号）を入力し、測光、露出モードに応じた露出値、シャッター速度及び絞り値を算出する。
【００２９】
コントローラ５０は、レリーズスイッチ３６のＯＮを受けて、算出したシャッター速度及び絞り値に基づいて、絞り駆動回路２５を介して絞りモータ２２を駆動し、シャッター駆動回路２６を介してシャッター装置２０を駆動するとともに、撮像素子駆動・信号処理回路３２を介して撮影用撮像素子３１を駆動して撮像し、被写体の画像信号を入力する。コントローラ５０は、入力した画像信号に所定の信号処理を施し、所定のフォーマットに変換した画像データをフラッシュメモリ５３に記録し、画像をディスプレイ２３に表示する。
【００３０】
ＡＦ・測光スイッチ３５及びレリーズスイッチ３６は、通常、カメラボディに備えられたレリーズボタンに連動しており、レリーズボタンの半押し（一段目）でＡＦ・測光スイッチ３５がＯＮし、同全押し（二段目）でＡＦ・測光スイッチ３５がＯＮした状態でレリーズスイッチ３６がＯＮする。
【００３１】
また、このデジタル一眼レフカメラ１０は、複数のＡＦエリアなどの撮影に関する情報を、透過型液晶パネル４０に表示する。図３は、透過型液晶パネル４０をペンタプリズム１６側から見た図である。透過型液晶パネル４０は、複数のＡＦエリアのうち、合焦したＡＦエリアをＡＦエリア表示部４０ａとして表示（可視化）し、ＬＥＤ４２の照明光により光らせる（識別、強調表示する）ことができる。透過型液晶パネル４０とＬＥＤ４２は、ファインダー内表示装置を形成している。
【００３２】
透過型液晶パネル４０の前方（ピント板１５ａからの被写体像光線が射出する側）であって、各短辺の外方に所定間隔で一対のＬＥＤ（情報照明部材）４２が配置されている。透過型液晶パネル４０は自ら発光しないが、ＬＥＤ（情報表示部材）４２により照明することにより、透過型液晶パネル４０の表示部分が光って、識別または強調表示される。図には、測距センサ１８によって焦点検出可能な被写体の複数の異なるＡＦエリア（図示せず）に対応するＡＦエリア表示部４０ａを示してある。ＬＥＤ４２は、例えば赤色ＬＥＤを使用できるが、発光色は赤色以外の任意の色でもよく、単発光色のものでも複数の異なる色を発光できるものでもよく、異なる色を発光するＬＥＤを使用して条件に応じた色のＬＥＤを選択発光させてもよい。
【００３３】
透過型液晶パネル４０に表示されたＡＦエリア表示部４０ａなどの情報は、ピント板１５ａのマット面に形成された被写体像と重複した状態で観察できるので、撮影者は、ピント板１５ａに結像した像を、透過型液晶パネル４０、プリズム１６、アイピース１７を通して目で見ている。一方、測光センサ３３ａは、ピント板１５ａに結像した像を、透過型液晶パネル４０、プリズム１６及び測光レンズ３３ｂを通して斜め方向から見ている。測光センサユニット３３（測光センサ３３ａ）も透過型液晶パネル４０を通してピント板１５ａ上の被写体像を見ているので、ＬＥＤ４２が点灯すると、ＬＥＤ４２の照明光が測光に影響を与えるおそれがある。それを回避するため、ＡＦ・測光スイッチ３５のＯＮを受けて測光センサ駆動・信号処理回路３４が開始した時から、測光が完了するまでＬＥＤ４２の点灯を禁止する。透過型液晶パネル４０の表示自体は測光に与える影響が小さいので表示してもよく、ＬＥＤ４２の点灯／消灯と同期させてもよい。
【００３４】
このデジタル一眼レフカメラ１０は、測距センサ１８、ＡＦ駆動回路２４及びコントローラ５０（焦点検出手段）によりいずれかのＡＦエリアに対して合焦した時、次のＡ）、Ｂ）のいずれかの動作が実行される。
Ａ）測光センサ３３（測光手段）による測光が終了していないときには、ＬＥＤ４２の点灯が禁止されているので、コントローラ５０（表示制御手段）が透過型液晶パネル４０（ファインダー内表示手段）で合焦したＡＦエリア表示部４０ａを表示し、ＬＥＤ４２を点灯せずに測光センサ３３による測光を継続する。測光が終了したときに可動ミラー１２（可動ミラー）が撮影位置に移動し、測光センサ３３による測光結果に基づいて撮影用撮像素子３１（撮影手段、像取得手段）が撮影動作する。
Ｂ）測光センサ３３（測光手段）による測光が終了しているときには可動ミラー１２（可動ミラー）が撮影位置に移動し、コントローラ５０（表示制御手段）が透過型液晶パネル４０及びＬＥＤ４２（ファインダー内表示手段）の点灯表示を許可して透過型液晶パネル４０及びＬＥＤ４２が合焦したＡＦエリア表示部４２ａを表示及びＬＥＤ４２を点灯し、測光センサ３３による測光結果に基づいて撮影用撮像素子３１が撮影動作する。
【００３５】
以上のデジタル一眼レフカメラ１０の撮影動作について、さらに図４のフローチャートを参照して詳細に説明する。この撮影動作は、デジタル一眼レフカメラ１０が電源オンをＯＮして撮影待機状態になり、測光していない状態で、レリーズボタンが一気に押されたとき、つまりＡＦ・測光スイッチ３５及びレリーズスイッチ３６が連続的にオンしたときのＡＦ・測光・露出動作である。透過型液晶パネル４０は、撮影待機状態において撮影情報の表示が可能である。この撮影動作は、コントローラ５０のマイクロコンピュータに所定のプログラムを実行させることにより実現される。コントローラ５０は、メインスイッチ３８のＯＮ操作を受けて電源をＯＮにした状態において、この撮影動作を開始する。なお、この実施形態の撮影動作は、ＡＦ合焦した後に露出動作を行ういわゆるＡＦ優先モードで動作するものとする。
【００３６】
コントローラ５０は、測光動作を終了（停止）する（Ｓ１１）。ここでは、測光センサ３３ａの初期化など、測光動作に関連する素子、回路を初期化する。そうしてコントローラ５０は、スイッチチェック（各スイッチのオン／オフ状態を検知）する（Ｓ１３）。具体的には、ＡＦ・測光スイッチ３５及びレリーズスイッチ３６のオン／オフ状態をチェックして、ＡＦ・測光スイッチ３５及びレリーズスイッチ３６がオンするのを待つ。
【００３７】
コントローラ５０は、ＡＦ・測光スイッチ３５及びレリーズスイッチ３６がオンすると、測光動作を開始し（Ｓ１５）、ＡＦ駆動（ＡＦ動作）を開始し（Ｓ１７）、ＡＦ合焦させる（Ｓ１９）。
【００３８】
コントローラ５０は、いずれかのＡＦエリア表示部４０ａ内の被写体に対して合焦すると、測光センサ３３ａによる測光が完了しているか否かチェックし（Ｓ２１）、測光が完了していたとき（Ｓ２１：ＹＥＳ）、ミラーアップ許可し（Ｓ２３）、測光に影響を与えないと判定して合焦点表示（情報表示）の照明を許可し（Ｓ２５）、レリーズ処理（Ｓ２７）する。
【００３９】
コントローラ５０は、ステップＳ２３においてミラーアップを許可すると、別スレッドで並行して、ミラー駆動回路２７を介してミラーモータ１３を駆動し、メインミラー１２を撮影位置までアップ移動する。コントローラ５０は、ステップＳ２７のレリーズ動作を、メインミラー１２が撮影位置にアップ移動してから実行する。さらにコントローラ５０は、ステップＳ２５において合焦表示の照明（ＬＥＤ４２の点灯）を許可すると、メインミラー１２のアップ動作と並行して、別スレッドで、透過型液晶パネル４０により合焦したＡＦエリア表示部４０ａを表示し、ＬＥＤ４２を点灯させて、合焦したＡＦエリア表示部４０ａを点灯表示（照明して光らせまたは明るくして視覚化させる）。このＡＦエリア表示部４０ａの表示及びＬＥＤ４２の点灯動作により、撮影者は合焦したＡＦエリア表示部４０ａを観察（視認）することができる。
【００４０】
そうしてコントローラ５０は、合焦したＡＦエリア表示部４０ａを表示し、かつＬＥＤ４２を点灯した合焦点表示状態で、レリーズ動作（露出、撮影動作）する（Ｓ２７）。
【００４１】
以上のステップＳ１１乃至Ｓ２７の撮影動作により、レリーズスイッチ３６がＯＮし、合焦してから露出開始するまでに余分な遅延時間（レリーズタイムラグ）が発生しない。なお、ステップＳ２３のミラーアップ許可動作とステップＳ２５の合焦点表示及び照明動作（点灯表示動作）の順番は逆でもよい。
【００４２】
一方、コントローラ５０は、ステップＳ２１における測光完了チェック時に測光が完了していないと判断したとき（Ｓ２１：ＮＯ）、測光に影響を与えると判定して合焦点表示の照明を禁止し（Ｓ２９）、測光動作を継続して測光動作を完了させてから（Ｓ３１）、ミラーアップを許可し（Ｓ３３）、レリーズ動作を実行する（Ｓ２７）。
以上のステップＳ２１乃至Ｓ２７、及びＳ２１、Ｓ２９乃至Ｓ３３、Ｓ２７の撮影動作により、合焦した時に測光が終了していない場合は合焦表示の照明をせずに測光を継続するので、合焦情報の表示点灯からその消灯までの間、測光を停止する時間が不要であり、測光動作をやり直さずに済むので、正確で精度の高い測光を可能にしつつ、レリーズタイムラグの短縮が可能になる。
【００４３】
以上の通り、本実施形態のデジタル一眼レフカメラ１０は、レリーズボタンが一気に全押しされたとしても、ＡＦ合焦した時に測光が終了していない場合は合焦点の表示よりも測光を優先して測光を継続するので、正確な測光とレリーズタイムラグの短縮が可能になる。
【００４４】
なお、ステップＳ２１において測光が完了していないと判断したとき、一旦測光を停止して合焦表示し、一定時間合焦表示をした後に測光を再開する比較例では、「合焦点の表示時間」＋「その後の測光開始〜測光完了までの時間」だけレリーズタイムラグが余計に発生する。
【００４５】
本発明は、特に測光センサとして積分型のＣＣＤなど、ダイナミックレンジが狭くて何度か露光時間とゲインを変えないと出力がダイナミックレンジ内に収まらずに測光完了まで時間がかかる場合だと、レリーズタイムラグの短縮効果が大きいが、一般的なフォトトランジスタ、フォトダイオードなどの測光センサを使用しているカメラにおいてもレリーズタイムラグを短縮できる。
【００４６】
本実施形態は、測光ＯＦＦからレリーズボタンが一気押しされたときの動作であるが、測光ＯＦＦからレリーズボタン半押しで測光を開始した後、ＡＦ合焦前にシャッターボタンが全押しされた場合や、単写の繰り返しで、コマ間に毎回測光をし直している場合なども、本実施形態と同様のレリーズタイムラグの短縮ができる。
【００４７】
本実施形態では、コントローラ５０（判定手段）が測光に影響を与えると判定したとき、透過型液晶パネル４０の合焦したＡＦエリア表示部４０ａの表示は禁止しない（表示させる）が、ＬＥＤ４２は点灯しない構成とした。しかし本発明は、コントローラ５０が測光に影響を与えると判定したとき、透過型液晶パネル４０の表示（合焦エリア表示部４０ａの表示）も禁止（非表示）にしてもよい。より精度が高く正確な測光が可能になる。
【００４８】
本実施形態は、自動焦点調節動作のより合焦したときに測光が終了していないときＬＥＤ４２の点灯を禁止したが、本発明はこの実施形態に限定されない。例えば、カメラを振られた時など、被写体の明るさが一気に変わり、出力が測光センサのダイナミックレンジに収まらなかったときなども、測光完了状態から未完了状態に変更し、ＬＥＤ４２の点灯を禁止してもよい。
【符号の説明】
【００４９】
１０  デジタル一眼レフカメラ（カメラ、撮影装置）
１１  カメラボディ
１２  メインミラー（可動ミラー）
１５  ファインダー光学系（ファインダー装置）
１５ａ  焦点板
１６  ペンタプリズム）
１８  測距センサ
２０  シャッター装置
２１  ＡＦモータ
２２  絞りモータ
２４  ＡＦ駆動回路
２５  絞り駆動回路
２６  シャッター駆動回路
３１  撮像素子
３２  撮影素子駆動・信号処理回路
３３  測光センサ
３４  測光センサ駆動・信号処理回路
４０  透過型液晶パネル（ファインダー内表示手段、ファインダー内表示装置）
４０ａ  ＡＦエリア表示部
４１  ＬＥＤ駆動回路（情報照明手段）
４２  ＬＥＤ（情報照明手段）
５０  コントローラ（判定手段、表示制御手段）
５１  ＲＯＭ（ＥＥＰＲＯＭ）
５３  フラッシュメモリ
１０１  撮影レンズ（撮影光学系）
１０３  絞り装置
【図１】
0006672841.tif 000002
【図２】
0006672841.tif 000003
【図３】
0006672841.tif 000004
【図４】
0006672841.tif 000005